(57)【特許請求の範囲】
【請求項１】
透光性樹脂で形成された採光パネルと、該採光パネルの上下端に取付けられた金属製の端部カバーとを有し、該採光パネルの上下端に係合部を形成するとともに、該端部カバーに係合部が係合する被係合部を形成し、前記係合部を被係合部にスライド係合することにより端部カバーを採光パネルに固定して採光ルーバーを形成し、前記端部カバーに形成した被係合部内に螺子挿通用孔を形成し、該螺子挿通用孔に螺子を螺着することにより採光ルーバーの両側に設けた保持部材に直接取付けることを特徴とする採光ルーバー。
【発明の詳細な説明】
【技術分野】
【０００１】
本発明は、採光パネルを有する採光ルーバーに関するもので、さらに詳しくは、ルーバー自体の強度を向上させるとともに、縦框、支柱等の保持部材へのルーバー取付け強度も向上させた採光ルーバーに関するものである。
【背景技術】
【０００２】
住宅等の外構において、外部からの視線を遮るとともに、通風性を確保するためにルーバーを有するフェンスを設けることが知られている。また、雨除け構築物、カーポート等においても、同様の目的でルーバーを有する衝立を設けることがある。ルーバーは、多数のパネルを上下方向に並べて配置したもので、パネルの両側において、縦框、支柱等の保持部材に取付けるものである。
【０００３】
従来、ルーバーを縦框、支柱等に取付けるには、例えば、支柱等の保持部材に嵌入凹部を形成した固定具を設け、この嵌入凹部にパネルの両側端を嵌入させることにより行なっていた（特許文献１参照）。
【０００４】
【特許文献１】実用新案登録第２５３８９５４号公報
【発明の開示】
【発明が解決しようとする課題】
【０００５】
ところで、ルーバーには、外部からの視線を完全に遮るためにパネルを遮光性部材で形成するものの他、住宅等においては外部からの、またフェンス等においては敷地外からの採光を得るためにパネルを透光性部材で形成した採光ルーバーがある。このような採光ルーバーにおいては、パネルを形成する透光性部材として、一般に特許文献１に示されるような透光性樹脂が採用されていた。
【０００６】
しかしながら、透光性樹脂で形成された採光ルーバーは、強度が十分でないものであった。すなわち、採光ルーバーの上下端に誤って物をぶつけたりすると、その個所において欠けたり歪んだりすることがあった。また、剛性も小さいことから、パネルの長さを長くした場合、外部から圧力が加わると捩れたりする場合があった。
【０００７】
さらに、上述したように、嵌入凹部に採光ルーバーの側端を嵌入させることにより縦框、支柱等の保持部材に取付ける場合、パネルが透光性樹脂で形成されていることに加え、単に嵌合させているだけであるので、十分な取付け強度を得ることができず、採光ルーバーを簡単に取外すことができ、防犯上あまり好ましいものではなかった。
【０００８】
本発明は、以上の問題点を解決し、パネルが損傷し難く、また、縦框や支柱等の保持部材への取付け強度が大きい採光ルーバーを提供することを目的とする。
【課題を解決するための手段】
【０００９】
請求項１に係る採光ルーバーは、透光性樹脂で形成された採光パネルと、該採光パネルの上下端に取付けられた金属製の端部カバーとを有し、該採光パネルの上下端に係合部を形成するとともに、該端部カバーに係合部が係合する被係合部を形成し、前記係合部を被係合部にスライド係合することにより端部カバーを採光パネルに固定して採光ルーバーを形成し、前記端部カバーに形成した被係合部内に螺子挿通用孔を形成し、該螺子挿通用孔に螺子を螺着することにより採光ルーバーの両側に設けた保持部材に直接取付けることを特徴としている。
【発明の効果】
【００１２】
請求項１に係る採光ルーバーにおいては、採光パネルの上下端に金属製の端部カバーを取付けているので、透光性樹脂で形成された採光パネルの上下端が保護され、物がぶつかったとしても容易に損傷することがない。また、採光パネルの上下端において横方向の全幅に亘って端部カバーが存在することになるので、採光パネルの捩れ、歪み等を防止すると共に、採光ルーバーの剛性を高めている。ルーバーの両側に設けられる保持部材には、金属製の端部カバーを螺子で螺着することにより取付けるので、取付け強度を向上させることができる。また、端部カバーの螺子挿通用孔は、被係合部内に形成しているので、端部カバーの被係合部に採光パネルを嵌合すると、螺子挿通用孔は外部から遮蔽され、螺着した螺子が外部に露出するのを防止している。
【発明を実施するための最良の形態】
【００１５】
本発明の採光ルーバーに用いる採光パネルは、重量並びに加工のし易さの観点から、透光性樹脂で形成される。この採光パネルは、上下端に係合部を形成したものであれば、断面形状は特に限定されず、直線状のもの、湾曲しているもの等種々の形状を採用することができる。
【００１６】
端部カバーは、採光パネルの上下端に固定されるもので、採光パネルの係合部が係合する被係合部を形成し、被係合部に採光パネルの係合部を係合することにより、一体化される。この被係合部と係合物との係合は、容易に離脱しない係合状態になるものであれば、その形状は特に限定されない。また、端部カバーには、螺子挿通用孔を形成し、この螺子挿通用孔に螺子を螺着することにより保持部材に取付けるものである。螺子挿通用孔の形成個所は特に限定されないが、外部に露出しない個所、例えば被係合部内に形成することが好ましい。さらに、螺子挿通用孔は予め螺子溝を形成したものであっても、タッピングビスにより螺子溝が形成される孔であっても構わない。
【００１７】
端部カバーは、螺子により保持部材に取付けるが、保持部材に直接固定しても、保持部材に設けた部材を介して間接的に取付けてもよい。すなわち、採光ルーバーを固定した状態で取付ける固定ルーバーの場合は、保持部材に直接螺子で螺着し、採光ルーバーを角度調整自在な状態で取付ける可動ルーバーの場合は、保持部材に回転自在に設けた回転羽根に螺子で螺着する。
【００１８】
保持部材は、ルーバーの両側に設けられ端部カバーを取付けるもので、すなわち、ルーバーを取付けるための枠である。この保持部材は、採光ルーバーを取り付ける態様により異なり、具体的には採光ルーバーの長手方向を水平方向とした場合は縦框であり、垂直方向とした場合には横框となる。
【００１９】
本発明による採光ルーバーの第一実施形態を図面を参照して説明する。
図１は可動タイプの採光ルーバーを取付けた状態を示す正面図、図２は図１中Ａ−Ａ線断面図、図３は図１中Ｂ−Ｂ線断面図である。
【００２０】
これらの図において、１０は保持部材としての縦框、２０は縦框１０の上端間に設けられた笠木である。これら縦框１０及び笠木２０で枠体が形成されており、この枠体内部に採光ルーバー３０が設けられている。採光ルーバー３０は、透光性樹脂で断面弓型に形成された採光パネル３１が等間隔で多数設けられており、この採光パネル３１の上下端において端部カバー３２が取付けられている。採光パネル３１の断面形状は単なる直線状のもの等種々の形状を採用することができるが、本実施形態のように断面弓型とすることにより、耐風圧強度に優れた採光パネル３１となる。
【００２１】
採光パネル３１の上下端には、巾方向の全長に亘って断面がキノコ形状をした係合部３３が形成されており、また、端部カバー３２には、巾方向の全長に亘って一部開口した被係合部３４が形成されており、前記係合部３３を端部カバー３２の端部に開口する被係合部３４の端面からスライド挿入することにより、被係合部３４に係合部３３を係合させている。この係合部３３と被係合部３４との係合により、採光パネル３１の上下端に端部カバー３２が取付けられている。また、端部カバー３２の巾方向の両側端には取付け片３５が形成されており、この取付け片３５の被係合部３３に対応する個所には螺子孔３６が形成されている。
【００２２】
前記縦框１０には、採光パネル３１と同一のピッチで回転羽根４０が設けられている。すなわち、回転羽根４０に設けた回転軸４１を縦框１０に回転自在に取付けることにより、回転羽根４０が縦框１０に対して回転自在となっている。なお、回転羽根４０と縦框１０の間には、回転羽根４０と縦框１０の間隔を調整する幅決めブッシュ４２が設けられている。この回転羽根４０は、前記採光パネル３１と端部カバー３２との側面を覆う形状に形成されており、回転羽根４０の両側端は端部カバー３２の側面３５に当接している。
また、回転羽根４０の両側端における端部カバー３２の側面３５と当接する個所に、螺子挿通孔（図示せず）が形成されており、この螺子挿通孔を介して回転羽根４０側から螺子４３を端部カバー３２の螺子挿通用孔３６に螺着し、回転羽根４０に端部カバー３２が固着される。この時、螺子４３の先端部は、被係合部３４内に位置することになるので、外部に露出することがない。
【００２３】
回転羽根４０の上端と回転軸４１との略中間には連結片４４が形成されており、この連結片４４には貫通孔４５が形成され、さらに貫通孔４５内に幅決パイプ４６が設けられている。一方、連結片４４の近傍には連結杆５０が設けられており、連結片４４側から螺子５１を貫通孔４５内のパイプ４６を介して挿通し、連結杆５０に螺着することにより、連結杆５０と回転羽根４０とを回転自在に連結している。したがって、連結杆５０の上下動により、回転羽根４０は回転軸４１を中心として回動し、この回転羽根４０の回転に追随して、採光ルーバー３０も回動するものである。なお、連結片４４と螺子５１との間にはバネ座金４７が設けられ、連結片４４と連結杆５０との間には幅決ブッシュ４８が設けられている。また、回転羽根１２の内の任意の一つには採光ルーバー３０の角度を調整するためのハンドル（図示せず）を取付ける取付部４９が形成されており、ハンドルによって取付部４９を形成した回転羽根４０を回動することにより、連結杆５０を介して他の採光ルーバー３０を回転させるようになっている。
【００２４】
次に、本発明による採光ルーバーの第二実施形態を図面を参照して説明する。
【００２５】
図４は固定タイプの採光ルーバーを取付けた状態を示す正面図、図５は図４中Ｃ−Ｃ線断面図、図６は図４１中Ｄ−Ｄ線断面図である。
【００２６】
図４〜図６に示す第二実施形態においては、端部カバーを縦框に直接固定したものであり、第一実施形態において、回転羽根を介して縦框に固定したのと相違するものである。なお、その他の構成に関しては第一実施形態と同様であり、同一の符号を付している。
【００２７】
すなわち、第二実施形態においては、端部カバー３２の取付け片３５が縦框１０に当接しており、縦框１０側から螺子１１を取付け片３５の螺子挿通用孔３６に螺着することにより、端部カバー３２を縦框１０に固定している。
【図面の簡単な説明】
【００２８】
【図１】本発明採光ルーバーの第一実施形態による正面図
【図２】図１中Ａ−Ａ線断面図
【図３】図１中Ｂ−Ｂ線断面図
【図４】本発明採光ルーバーの第二実施形態による正面図
【図５】図４中Ｃ−Ｃ線断面図
【図６】図４中Ｄ−Ｄ線断面図
【符号の説明】
【００２９】
１０  縦框
１１  螺子
２０  笠木
３０  採光ルーバー
３１  採光パネル
３２  端部カバー
３３  係合部
３４  被係合部
３５  取付け片
３６  螺子挿通用孔
４０  回転羽根
４１  回転軸
５０  連結杆
【図１】
0004771844.tif 000002
【図２】
0004771844.tif 000003
【図３】
0004771844.tif 000004
【図４】
0004771844.tif 000005
【図５】
0004771844.tif 000006
【図６】
0004771844.tif 000007